(57)【要約】      （修正有）【課題】飲みやすく、転がり落ちてしまうことを回避するとともに、飲みながら転倒した時に口周辺を怪我するリスクを低減する飲料用ストローを提供する。【解決手段】飲料用ストロー１００は、ストロー延設方向ＥＸに長尺な筒状部１１０を有し、筒状部が、ストロー周方向全域にストロー延設方向に延設された繊維を有する繊維層を有し、ストロー延設方向において、真っ直ぐ延設された直線部分１１１、１１３と、直線部分に対して湾曲した湾曲部分１１２とを一連に備える。湾曲部分の存在により、転がり落ちることがなく、万一飲みながら転倒した時も応力が湾曲部分に集中し、怪我のリスクを低減できる。【選択図】図１
0003219518.tif 000002
【実用新案登録請求の範囲】
【請求項１】
ストロー延設方向に長尺な筒状部を有した飲料用ストローにおいて、
前記筒状部が、ストロー周方向において、ストロー周方向全域にストロー延設方向に延設された繊維を有する繊維層を有し、ストロー延設方向において、真っ直ぐ延設された直線部分と、直線部分に対して湾曲した湾曲部分とを一連に備えていることを特徴とする飲料用ストロー。
【請求項２】
前記筒状部が、植物のアシの茎、竹の茎および藁の茎のいずれかによって形成されていることを特徴とする請求項１に記載の飲料用ストロー。
【請求項３】
前記筒状部が、ストロー延設方向において、湾曲部分の一端側に真っ直ぐ延設された第１直線部分と、湾曲部分の他端側に真っ直ぐ延設された第２直線部分とを一連に備えていることを特徴とする請求項１または請求項２に記載の飲料用ストロー。
【考案の詳細な説明】
【技術分野】
【０００１】
本考案は、ストロー延設方向に長尺な筒状部を有した飲料用ストローに関する。
【背景技術】
【０００２】
従来、基材を含み、基材が炭酸カルシウム成分を含むストリップ状の紙片であり、基材が側縁部を重ねて斜め方向に巻回され、両端が連通した螺旋管体を形成し、基材の相隣して重なる部分が相互に密接されている飲料用紙製ストローが知られている。
【先行技術文献】
【特許文献】
【０００３】
【特許文献１】実登３２１６６６３号公報
【考案の概要】
【考案が解決しようとする課題】
【０００４】
しかしながら、上述した従来の飲料用紙製ストローは、直線形状の構造であったため、飲みにくいという問題や、転がりやすく、飲料用紙製ストローがテーブルの上面からテーブルの接地面である地面に転がり落ちてしまうという問題や、ユーザーがストローを使用して飲料を飲みながら万が一に転倒した場合にユーザーが口周辺を怪我しやすいという問題があった。
【０００５】
そこで、本考案は、前述したような従来技術の問題を解決するものであって、すなわち、本考案の目的は、ユーザーにとって飲みやすく、転がり落ちてしまうことを回避し、ユーザーが怪我するリスクを低減する飲料用ストローを提供することである。
【課題を解決するための手段】
【０００６】
本請求項１に係る考案は、ストロー延設方向に長尺な筒状部を有した飲料用ストローにおいて、前記筒状部が、ストロー周方向において、ストロー周方向全域にストロー延設方向に延設された繊維を有する繊維層を有し、ストロー延設方向において、真っ直ぐ延設された直線部分と、直線部分に対して湾曲した湾曲部分とを一連に備えていることにより、前述した課題を解決するものである。
【０００７】
本請求項２に係る考案は、請求項１に記載された飲料用ストローの構成に加えて、前記筒状部が、植物のアシの茎、竹の茎および藁の茎のいずれかによって形成されていることにより、前述した課題をさらに解決するものである。
【０００８】
本請求項３に係る考案は、請求項１または請求項２に記載された飲料用ストローの構成に加えて、前記筒状部が、ストロー延設方向において、湾曲部分の一端側に真っ直ぐ延設された第１直線部分と、湾曲部分の他端側に真っ直ぐ延設された第２直線部分とを一連に備えていることにより、前述した課題をさらに解決するものである。
【考案の効果】
【０００９】
本考案の飲料用ストローは、ストロー延設方向に長尺な筒状部を有していることにより、ユーザーが筒状部を吸って容器の内部にある飲料を飲むことができるばかりでなく、以下のような特有の効果を奏することができる。
【００１０】
本請求項１に係る考案の飲料用ストローによれば、直線部分を先端側にして飲料の容器に入れると湾曲部分によって飲み口側が容器の外部において先端側と比べて水平方向に沿うように傾いた姿勢となるため、ユーザーにとって飲みやすくすることができる。
さらに、飲料用ストローをテーブルの上に置いた際、テーブルの上面が水平方向に対してわずかに傾いていて飲料用ストローが転がろうとした場合であっても湾曲部分がテーブルの上面と曲線状に線接触して転がろうとする力に対抗するため、飲料用ストローがテーブルの上面からテーブルの接地面である地面に転がり落ちてしまうことを回避することができる。
つまり、飲料用ストローが地面に落ちて汚れてしまうことを回避することができ、衛生面できれいさを保つことができる。
また、ユーザーが飲料用ストローの直線部分を手で持っている際に飲料用ストローが手から滑り落ちそうになった場合であっても湾曲部分が手と接触したときに飲料用ストローと手との間における摩擦力が大きくなるため、飲料用ストローを手から滑り落ちにくくすることができる。
さらに、繊維層の繊維によって高強度・高剛性な飲料用ストローとなるが、万が一にユーザーが飲料用ストローを口にしたまま転倒した場合であっても、湾曲部分に応力が集中するため、ユーザーが怪我するリスクを低減することができる。
【００１１】
本請求項２に係る考案の飲料用ストローによれば、請求項１に係る考案が奏する効果に加えて、飲料用ストローが使用済みとなった場合であっても自然分解するため、環境問題に対応することができる。
【００１２】
本請求項３に係る考案の飲料用ストローによれば、請求項１または請求項２に係る考案が奏する効果に加えて、湾曲部分が筒状部におけるストロー延設方向中間部分となり、湾曲部分が筒状部におけるストロー延設方向端部分の構成と比べて、よりテーブルの上面において転がりにくくなるため、飲料用ストローがテーブルの上面からテーブルの接地面である地面に転がり落ちてしまうことをより確実に回避することができる。
さらに、湾曲部分が筒状部におけるストロー延設方向中間部分となり、湾曲部分が筒状部におけるストロー延設方向端部分の構成と比べて、直線部分の長さが短くなるため、万が一にユーザーが飲料用ストローを口にしたまま転倒した場合であっても、ユーザーが怪我するリスクをより一層低減することができる。
【図面の簡単な説明】
【００１３】
【図１】（Ａ）（Ｂ）は本考案の実施例である飲料用ストローを示す斜視図および側面図。
【図２】図１（Ａ）に示す符号２の箇所を拡大した一部断面斜視図。
【図３】（Ａ）〜（Ｃ）は本考案の実施例である飲料用ストローの作り方を示す図。
【図４】本考案の実施例である飲料用ストローの作り方を示す図。
【考案を実施するための形態】
【００１４】
本考案の飲料用ストローは、ストロー延設方向に長尺な筒状部を有し、筒状部が、ストロー周方向において、ストロー周方向全域にストロー延設方向に延設された繊維を有する繊維層を有し、ストロー延設方向において、真っ直ぐ延設された直線部分と、直線部分に対して湾曲した湾曲部分とを一連に備えていることにより、ユーザーにとって飲みやすくすることができ、飲料用ストローがテーブルの上面からテーブルの接地面である地面に転がり落ちてしまうことを回避することができ、飲料用ストローを手から滑り落ちにくくすることができ、さらに、繊維層の繊維によって高強度・高剛性な飲料用ストローとなっても、ユーザーが怪我するリスクを低減することができるものであれば、その具体的な実施態様は、如何なるものであっても構わない。
【００１５】
例えば、筒状部は、植物の葦（アシ）の茎、竹の茎や藁（わら）の茎によって形成されたものでもよいし、人工的に繊維層を形成したものであっても構わない。
【実施例】
【００１６】
以下に、本考案の実施例である飲料用ストロー１００について、図１（Ａ）乃至図４に基づいて説明する。
ここで、図１（Ａ）は、本考案の実施例である飲料用ストロー１００を示す斜視図であり、図１（Ｂ）は、図１（Ａ）に示す符号１Ｂから視た側面図であり、図２は、図１（Ａ）に示す符号２の箇所を拡大した一部断面斜視図であり、図３（Ａ）は、本考案の実施例である飲料用ストロー１００の作り方を示すための曲げ加工前の飲料用ストロー１００の側面図であり、図３（Ｂ）は、図３（Ａ）に示す飲料用ストロー１００の筒状部１１０の内部に棒材を挿通した状態を示す側面図であり、図３（Ｃ）は、図３（Ｂ）に示す符号３Ｃ−３Ｃで視た側断面図であり、図４は、本考案の実施例である飲料用ストロー１００の曲げ加工を示す図である。
【００１７】
本考案の実施例である飲料用ストロー１００は、図１（Ａ）乃至図２に示すように、ストロー延設方向ＥＸに長尺な筒状部１１０を有している。
さらに、筒状部１１０が、ストロー周方向ＣＲにおいて、ストロー周方向全域にストロー延設方向ＥＸに延設された繊維を有する繊維層ＦＢを有している。
なお、本実施例では、筒状部１１０（ストロー）の厚み方向において、筒状部１１０の一部を、繊維層ＦＢとしたが、筒状部１１０の全てを繊維層ＦＢとしてもよい。
【００１８】
そして、筒状部１１０が、ストロー延設方向ＥＸにおいて、所定方向に真っ直ぐ延設された直線部分としての第１直線部分１１１と、第１直線部分１１１に対して湾曲した湾曲部分１１２とを一連に備えている。
これにより、第１直線部分１１１を先端側にして飲料の容器に入れると湾曲部分１１２によって飲み口側が容器の外部において先端側と比べて水平方向に沿うように傾いた姿勢となる。
その結果、ユーザーにとって飲みやすくすることができる。
【００１９】
さらに、飲料用ストロー１００をテーブルの上に置いた際、テーブルの上面が水平方向に対してわずかに傾いていて飲料用ストロー１００が転がろうとした場合であっても湾曲部分１１２がテーブルの上面と曲線状に線接触して転がろうとする力に対抗する。
その結果、飲料用ストロー１００がテーブルの上面からテーブルの接地面である地面に転がり落ちてしまうことを回避することができる。
つまり、飲料用ストロー１００が地面に落ちて汚れてしまうことを回避することができ、衛生面できれいさ（清潔さ）を保つことができる。
【００２０】
また、ユーザーが飲料用ストロー１００の第１直線部分１１１を手で持っている際に飲料用ストロー１００が手から滑り落ちそうになった場合であっても湾曲部分１１２が手と接触したときに飲料用ストロー１００と手との間における摩擦力が大きくなる。
その結果、飲料用ストロー１００を手から滑り落ちにくくすることができる。
さらに、繊維層ＦＢの繊維によって高強度・高剛性な飲料用ストロー１００となるが、万が一にユーザーが飲料用ストロー１００を口にしたまま転倒した場合であっても、湾曲部分１１２に応力が集中する。
その結果、ユーザーが怪我するリスクを低減することができる。
【００２１】
より具体的には、筒状部１１０が、ストロー延設方向ＥＸにおいて、湾曲部分１１２の一端側に第１直線部分１１１と、湾曲部分１１２の他端側に第２直線部分１１３とを一連に備えている。
ここで、第１直線部分１１１は、第１所定方向に真っ直ぐ延設されている。
同様に、第２直線部分１１３は、第２所定方向に真っ直ぐ延設されている。
これにより、湾曲部分１１２が筒状部１１０におけるストロー延設方向中間部分となり、湾曲部分１１２が筒状部１１０におけるストロー延設方向端部分の構成と比べて、よりテーブルの上面において転がりにくくなる。
【００２２】
その結果、飲料用ストロー１００がテーブルの上面からテーブルの接地面である地面に転がり落ちてしまうことをより確実に回避することができる。
さらに、湾曲部分１１２が筒状部１１０におけるストロー延設方向中間部分となり、湾曲部分１１２が筒状部１１０におけるストロー延設方向端部分の構成と比べて、直線部分の長さが短くなる。
その結果、万が一にユーザーが飲料用ストロー１００を口にしたまま転倒した場合であっても、ユーザーが怪我するリスクをより一層低減することができる。
なお、本実施例では、第１直線部分１１１、湾曲部分１１２および第２直線部分１１３を設けてストロー延設方向中間部分が湾曲部分１１２となる構成としたが、第１直線部分１１１および湾曲部分１１２のみを設けてストロー延設方向端部分が湾曲部分１１２となる構成となる構成でもよい。
さらに、湾曲部分１１２を複数設けて飲料用ストロー１００を全体として所謂「Ｓ」字状に形成してもよい。
【００２３】
本実施例では、筒状部１１０が、一例として植物のアシの茎によって形成されている。
これにより、飲料用ストロー１００が使用済みとなった場合であっても自然分解する。
その結果、環境問題に対応することができる。
【００２４】
続いて、本実施例の飲料用ストロー１００の作り方について説明する。
図３（Ａ）に示すように、当初の飲料用ストロー１００は、植物のアシの茎を用いるため、ほぼ真っ直ぐである。
先ず、ステップ１では、加熱・加湿工程として、真っ直ぐなアシ（飲料用ストロー１００）を、約１時間程度、お湯で煮詰める。
この際、アシをお湯の中に沈めて水分をアシにしみ込ませる。
これにより、消毒、虫駆除、殺菌される。
その結果、安全性が得られる。
【００２５】
ステップ２では、取り出し工程として、アシをお湯の中から取り出す。
ステップ３では、図３（Ｂ）および図３（Ｃ）に示すように、加工補助材挿通工程として、水分を吸って膨張した後の筒状部１１０の内径と同程度の外径を有した長尺な円柱状の加工補助材ＳＵを筒状部１１０の内部に挿通させる。
加工補助材ＳＵの長さについては、加工補助材ＳＵの両端が筒状部１１０の両端から少し出るくらいの長さがよい。
加工補助材ＳＵとして、竹ひご、割り箸などを用いてもよい。
【００２６】
ステップ４では、図４に示すように、曲げ工程として、加工補助材ＳＵを挿通した筒状部１１０を曲げ工具ＢＤ（ベンダーともいう）にセットし、持ち手部分を矢印に示す方向に移動させて力を加える。
すると、筒状部１１０および加工補助材ＳＵが一体に湾曲し、湾曲部分１１２が形成される。
この際、加工補助材ＳＵが筒状部１１０の内部に挿通されていることにより、筒状部１１０における曲げ工具ＢＤによって力を加えられた箇所が座屈してしまうことや、割れてしまうことを回避することができる。
【００２７】
なお、曲げ工程のときに筒状部１１０が冷めてしまっている場合、加熱し直すとよい。
理由は、曲がり易くなるからである。
また、持ち手部分と持ち手部分との間に引張りバネや、張力を調整自在な枠式ターンバックルを取り付けて筒状部１１０に徐々に力を加えるようにしてもよい。
本実施例では、手動式の曲げ工具ＢＤを用いたが、自動式のものでもよいのは勿論である。
【００２８】
ステップ５では、加工補助材除去工程として、加工補助材ＳＵの一端を引っ張り、筒状部１１０の内部から加工補助材ＳＵを引き出す。
ステップ６では、冷却・乾燥工程として、筒状部１１０を冷却するとともに乾燥させる。
これにより、湾曲部分１１２の堅さが元の堅さになる。
そして、飲料用ストロー１００の完成となる。
なお、冷却は自然冷却でもよい。
また、乾燥は自然乾燥でもよい。
【００２９】
このようにして得られた本考案の実施例である飲料用ストロー１００は、ストロー延設方向ＥＸに長尺な筒状部１１０を有し、筒状部１１０が、ストロー周方向ＣＲにおいて、ストロー周方向全域にストロー延設方向ＥＸに延設された繊維を有する繊維層ＦＢを有し、ストロー延設方向ＥＸにおいて、所定方向に真っ直ぐ延設された直線部分としての第１直線部分１１１と、第１直線部分１１１に対して湾曲した湾曲部分１１２とを一連に備えていることにより、ユーザーにとって飲みやすくすることができ、飲料用ストロー１００がテーブルの上面からテーブルの接地面である地面に転がり落ちてしまうことを回避することができ、飲料用ストロー１００を手から滑り落ちにくくすることができ、さらに、繊維層ＦＢの繊維によって高強度・高剛性な飲料用ストロー１００となっても、ユーザーが怪我するリスクを低減することができる。
【００３０】
さらに、筒状部１１０が、植物のアシの茎、竹の茎および藁の茎のいずれかによって形成されていることにより、環境問題に対応することができる。
【００３１】
また、筒状部１１０が、ストロー延設方向ＥＸにおいて、湾曲部分１１２の一端側に第１所定方向に真っ直ぐ延設された第１直線部分１１１と、湾曲部分１１２の他端側に第２所定方向に真っ直ぐ延設された第２直線部分１１３とを一連に備えていることにより、飲料用ストロー１００がテーブルの上面からテーブルの接地面である地面に転がり落ちてしまうことをより確実に回避することができ、湾曲部分１１２が筒状部１１０におけるストロー延設方向端部分の構成と比べて、万が一にユーザーが飲料用ストロー１００を口にしたまま転倒した場合であっても、ユーザーが怪我するリスクをより一層低減することができるなど、その効果は甚大である。
【符号の説明】
【００３２】
１００  ・・・  飲料用ストロー
１１０  ・・・  筒状部
１１１  ・・・  第１直線部分（直線部分）
１１２  ・・・  湾曲部分
１１３  ・・・  第２直線部分（直線部分）
ＦＢ    ・・・  繊維層
ＥＸ    ・・・  ストロー延設方向
ＣＲ    ・・・  ストロー周方向
ＳＵ    ・・・  加工補助材
ＢＤ    ・・・  曲げ工具
【図１】
0003219518.tif 000003
【図２】
0003219518.tif 000004
【図３】
0003219518.tif 000005
【図４】
0003219518.tif 000006